(57)【要約】【課題】使用状態において使用者に良好なフィット感を与えると共に不使用状態において安定した状態で備蓄できる帽子用内装具、帽子を提供する。【解決手段】ヘルメット１００の帽子用内装具１Ａは、帽体１１０に配設されると共に帽体１１０が使用者の頭部に被せられた際に頭部の頭頂部に当接するハンモック１と、ハンモック１に接合されて頭部の前頭部から側頭部を経て後頭部に当接するヘッドバンド２とを備え、ヘッドバンド２は、前頭部に当接する前側部材１２と、前側部材１２に接続されて後頭部に当接する後側部材１３とを備え、後側部材１３は、下方に突出して後頭部に当接する突出部２１ａが形成され、不使用状態において、突出部２１ａを帽体１１０内部に収容するヒンジ部２９が設けられる。【選択図】図１
2014005558.tif 000002
【特許請求の範囲】
【請求項１】
帽体に配設されると共に該帽体が使用者の頭部に被せられた際に前記頭部の頭頂部に当接するハンモックと、
該ハンモックに接合されて前記頭部の前頭部から側頭部を経て後頭部に当接するヘッドバンドとを備え、
前記ヘッドバンドは、使用状態において前記帽体より下方に突出して前記後頭部に当接する突出部が形成された構成となり、
不使用状態において、前記突出部を前記帽体内部に収容する収容機構が設けられたことを特徴とする帽子用内装具。
【請求項２】
前記ヘッドバンドは、前記前頭部に当接する前側部材と、該前側部材に接続されて前記後頭部に当接する後側部材とを備え、
前記後側部材は板状の部材にて前記後頭部に沿って湾曲した形状に形成され、
前記収容機構は、前記ハンモックに取付けられる取付部の近傍に設けられたヒンジ部として構成され、
前記ハンモック及び前記ヘッドバンドが前記帽体に配設された状態で前記ヒンジ部よりも使用状態における下側が折り畳まれたとき、全体が前記帽体よりも使用状態における内側上方に位置することを特徴とする請求項１に記載の帽子用内装具。
【請求項３】
前記後側部材は平板形状の部材にて形成され、
前記後側部材に形成された、前記ハンモックに取付けられる一対の後側部材側取付部の間隔は、前記後側部材が平板状態のとき、前記ハンモックに形成された、前記後側部材に取付けられる一対のハンモック側取付部の間隔よりも広く、
前記一対の後側部材側取付部を前記一対のハンモック側取付部に取付けた際、前記後側部材の前記一対の後側部材側取付部の間隔が狭まることにより、前記後側部材が撓んで湾曲形状となることを特徴とする請求項２に記載の帽子用内装具。
【請求項４】
前記前側部材と前記後側部材とを連結する連結部材が設けられ、該連結部材はゴムによって形成されたことを特徴とする請求項２又は３に記載の帽子用内装具。
【請求項５】
前記ヘッドバンドは、前記前頭部に当接する前側部材と、該前側部材に接続されて前記後頭部に当接する後側部材とを備え、
前記突出部は前記後側部材に設けられ、
前記収容機構は、前記前側部材と前記後側部材とを回動自在に軸止する回動軸部として構成され、
前記ハンモック及び前記ヘッドバンドが前記帽体に配設された状態で前記後側部材が前記回動軸部を中心に回動されたとき、前記突出部が前記帽体の内部に収容された状態となって、前記突出部の全体が前記帽体よりも使用状態における内側上方に位置するように構成されたことを特徴とする請求項１に記載の帽子用内装具。
【請求項６】
前記ヘッドバンドは、前記前頭部に当接する前側部材と、該前側部材に接続されて前記後頭部に当接する後側部材とを備え、
前記突出部は前記後側部材に設けられ、
前記収容機構は、前記後側部材を前記前側部材に対してスライド自在に連結するスライド部として構成され、
前記ハンモック及び前記ヘッドバンドが前記帽体に配設された状態で前記後側部材が前記スライド部においてスライドされたとき、前記突出部が前記帽体の内部に収容された状態となって、前記突出部の全体が前記帽体よりも使用状態における内側上方に位置することを特徴とする請求項１に記載の帽子用内装具。
【請求項７】
請求項１乃至６の何れか一つに記載の帽子用内装具を備えたことを特徴とする帽子。
【発明の詳細な説明】
【技術分野】
【０００１】
この発明は、防災用ヘルメット等の帽子に用いられる帽子用内装具、及び帽子用内装具を備えた防災用ヘルメット等の帽子に関する。
【背景技術】
【０００２】
防災用ヘルメット等の帽子、特に、帽体が硬質の部材で形成されている帽子においては、帽体を使用者の頭部に被せた状態で帽体を頭部に固定させるための帽子用内装具が用いられる。一般に帽子用内装具は、頭部の頭頂部に当接するハンモックと、額の部分即ち前頭部から側頭部を経て後頭部にかけて、頭部の周辺に当接するヘッドバンドを有している。
【０００３】
図１７に示す従来の帽子用内装具１Ｃは、ヘルメット５００における帽体１１０の内部にハンモック１とヘッドバンド２を設け、ヘッドバンド２の一部にヘッドバンド２の長さを調節する調節機構３０１が設けられ、使用者の頭部４００に帽子を被せた状態でヘッドバンド２を頭部４００の周辺にて締め付け、適度な位置においてヘッドバンド２を調節機構６００で固定させることでヘルメット３００を頭部４００に固定させる構成が知られている（例えば特許文献１参照）。
【先行技術文献】
【特許文献】
【０００４】
【特許文献１】特開２００３−６４５２３号公報
【発明の概要】
【発明が解決しようとする課題】
【０００５】
しかしながら、上記特許文献１に記載の発明においては、図１７に示すように、ヘッドバンド２の後頭部側に、前頭部側に比べて下方に突出した突出部７００が形成されている。この突出部７００は、使用状態において、使用者に安定した装着感を与える反面、不使用状態において、帽子用内装具１Ｃを帽体１１０に配設した状態で帽体１１０の開口部を下側にして地面や床面等に載置した際に、突出部７００の下端が地面や床面に当接してしまう。そのため、帽体１１０の開口部が傾斜した状態で地面や床面に載置され、ぐらつき易くなる。そのため、帽体１１０が斜めに傾斜した状態で積み重ねられ、ぐらつき易くなる。それゆえ、不使用状態において、安定した状態でヘルメットを備蓄することが難しくなるという問題がある。
【０００６】
また、特許文献１に記載の発明において、ヘッドバンド２は、帽体１１０の少なくとも一部に固定された状態で帽体に装着される。そして、調節機構６００でヘッドバンド２を締め付けると頭部４００が帽体１１０の前方に移動した状態でヘルメット３００が頭部４００に固定されることになる。その結果、頭の小さい使用者がこの帽子を被った場合、図１７に示すように、帽体１１０の前寄りに頭部４００が装着されて帽体１１０の後側と頭部４００の後側との間には隙間Ｓ１が形成される。この隙間Ｓ１が、帽体１１０の前側と頭部４００の前側の間の隙間Ｓ２に比して大きくなるにつれて、装着した際の帽体１１０の安定感を欠き、使用者が良好な装着感を得られなくなるという問題がある。
【０００７】
本発明はこのような課題に鑑みてなされたものであり、本発明の第一の課題は、配設された帽子を、使用状態において使用者に良好なフィット感を与えると共に不使用状態において安定した状態で備蓄できる帽子用内装具、及びこの帽子用内装具を用いた帽子を提供することにある。
【０００８】
また、本発明の第二の課題は、装着時に常に安定した状態で帽体を頭部に装着できる帽子用内装具、及びこの帽子用内装具を用いた帽子を提供することにある。
【課題を解決するための手段】
【０００９】
かかる課題を解決するために、請求項１に記載の発明は、帽体に配設されると共に該帽体が使用者の頭部に被せられた際に前記頭部の頭頂部に当接するハンモックと、該ハンモックに接合されて前記頭部の前頭部から側頭部を経て後頭部に当接するヘッドバンドとを備え、前記ヘッドバンドは、使用状態において前記帽体より下方に突出して前記後頭部に当接する突出部が形成された構成となり、不使用状態において、前記突出部を前記帽体内部に収容する収容機構が設けられたことを特徴とする。
【００１０】
請求項２に記載の発明は、請求項１に記載の構成に加え、前記ヘッドバンドは、前記前頭部に当接する前側部材と、該前側部材に接続されて前記後頭部に当接する後側部材とを備え、前記後側部材は板状の部材にて前記後頭部に沿って湾曲した形状に形成され、前記収容機構は、前記ハンモックに取付けられる取付部の近傍に設けられたヒンジ部として構成され、前記ハンモック及び前記ヘッドバンドが前記帽体に配設された状態で前記ヒンジ部よりも使用状態における下側が折り畳まれたとき、全体が前記帽体よりも使用状態における内側上方に位置することを特徴とする。
【００１１】
請求項３に記載の発明は、請求項２に記載の構成に加え、前記後側部材は平板形状の部材にて形成され、前記後側部材に形成された、前記ハンモックに取付けられる一対の後側部材側取付部の間隔は、前記後側部材が平板状態のとき、前記ハンモックに形成された、前記後側部材に取付けられる一対のハンモック側取付部の間隔よりも広く、前記一対の後側部材側取付部を前記一対のハンモック側取付部に取付けた際、前記後側部材の前記一対の後側部材側取付部の間隔が狭まることにより、前記後側部材が撓んで湾曲形状となることを特徴とする。
【００１２】
請求項４に記載の発明は、請求項２又は３に記載の構成に加え、前記前側部材と前記後側部材とを連結する連結部材が設けられ、該連結部材はゴムによって形成されたことを特徴とする。
【００１３】
請求項５に記載の発明は、請求項１に記載の構成に加え、前記ヘッドバンドは、前記前頭部に当接する前側部材と、該前側部材に接続されて前記後頭部に当接する後側部材とを備え、前記突出部は前記後側部材に設けられ、前記収容機構は、前記前側部材と前記後側部材とを回動自在に軸止する回動軸部として構成され、前記ハンモック及び前記ヘッドバンドが前記帽体に配設された状態で前記後側部材が前記回動軸部を中心に回動されたとき、前記突出部が前記帽体の内部に収容された状態となって、前記突出部の全体が前記帽体よりも使用状態における内側上方に位置するように構成されたことを特徴とする。
【００１４】
請求項６に記載の発明は、請求項１に記載の構成に加え、前記ヘッドバンドは、前記前頭部に当接する前側部材と、該前側部材に接続されて前記後頭部に当接する後側部材とを備え、前記突出部は前記後側部材に設けられ、前記収容機構は、前記後側部材を前記前側部材に対してスライド自在に連結するスライド部として構成され、前記ハンモック及び前記ヘッドバンドが前記帽体に配設された状態で前記後側部材が前記スライド部においてスライドされたとき、前記突出部が前記帽体の内部に収容された状態となって、前記突出部の全体が前記帽体よりも使用状態における内側上方に位置することを特徴とする。
【００１５】
請求項７に記載の発明は、帽子であって、請求項１乃至６の何れか一つに記載の帽子用内装具を備えたことを特徴とする。
【発明の効果】
【００１６】
請求項１に記載の発明によれば、ヘッドバンドは、使用状態において前記帽体より下方に突出して後頭部に当接する突出部が形成された構成となっていることで、頭部の広い面積にヘッドバンドを当接させて、当該帽子用内装具が配設された帽子を安定した状態で頭部に装着できる。一方、不使用状態において、突出部を帽体内部に収容する収容機構が設けられたことにより、当該帽子用内装具が配設された帽子の不使用状態において、突出部を帽体の内部に引き込んで収容することができる。そのため、当該帽子用内装具が配設された帽子の不使用状態において、帽体の開口部を下側に向けた状態で地面や床面に載置させたとき、帽体の開口部が床面や水平面に対向した、ぐらつきのない安定した状態で載置させることができる。これにより、帽子に配設されたとき、使用状態において使用者に良好なフィット感を与えると共に不使用状態において安定した状態で備蓄できる帽子用内装具を提供できる。
【００１７】
請求項２に記載の発明によれば、ヘッドバンドは、前頭部に当接する前側部材と、前側部材に接続されて後頭部に当接する後側部材とを備えたことにより、ヘッドバンドを前頭部と後頭部とに適した状態で調整できる。また、後側部材は板状の部材にて後頭部に沿って湾曲した形状に形成されたことにより、板状の部材によってヘッドバンドを低コストで製造可能にすると共に、ヘッドバンドの頭部へのフィット感を向上させ、当該帽子用内装具が配設された帽子の頭部への装着時のぐらつきを抑止できる。また、収容機構は、ハンモックに取付けられる取付部の近傍に設けられたヒンジ部として構成され、ハンモック及びヘッドバンドが帽体に配設された状態でヒンジ部よりも使用状態における下側が折り畳まれたとき、全体が帽体よりも使用状態における内側上方に位置することにより、収容機構を簡素な構成で形成するとともに、不使用状態において、ヘッドバンドの後側部材全体を折り畳んで帽体内部に引き込んだ状態を確実に形成し、突出部が、当該帽子用内装具が配設された帽子を地面や床面に載置したり他の帽体の上部に積み重ねる際に地面や床面や他の帽体に当接する事態を防ぐことができる。これにより、不使用状態において安定した状態で備蓄できる帽子用内装具を確実に提供できる。
【００１８】
請求項３に記載の発明によれば、後側部材は平板形状の部材にて後頭部に沿って湾曲した形状に形成されたことにより、板状の部材によってヘッドバンドを低コストで製造可能にすると共に、ヘッドバンドの頭部へのフィット感を向上させ、当該帽子用内装具が配設された帽子の頭部への装着時のぐらつきを確実に抑止できる。また、後側部材に形成された、ハンモックに取付けられる一対の後側部材側取付部の間隔は、後側部材が平板状態のとき、ハンモックに形成された、後側部材に取付けられる一対のハンモック側取付部の間隔よりも広く、一対の後側部材側取付部を一対のハンモック側取付部に取付けた際、後側部材の一対の後側部材側取付部の間隔が狭まることで、後側部材が撓んで湾曲形状となることにより、後側部材側取付部をハンモック側取付部に取り付けるだけで、平板形状の部材にて形成された後側部材を後頭部の形状に沿って湾曲させて立体形状を形成できる。更に、後側部材の突出部をヒンジ部で折り畳んで帽体内部に収容したとき、突出部は逆に、帽体の内側の形状に沿って、内側に向けて撓んだ湾曲形状で形状を安定させることができるので、不使用状態の帽子を載置や積み重ねに際し、突出部が支障を来さない状態を維持させることができる。これにより、帽子を被った使用者により良好なフィット感を与える帽子用内装具を提供できる。
【００１９】
請求項４に記載の発明によれば、前側部材と後側部材とを連結する連結部材が設けられ、連結部材はゴムによって形成されたことにより、前後方向に移動可能な前側部材と前記後側部材とは、連結部材の張力によってヘッドバンドの縮径する方向に引っ張られるため、帽体にヘッドバンドを配設して頭部をヘッドバンドに収容したとき、前側部材と後側部材とがヘッドバンドの縮径方向に引っ張られて頭部は帽体の前後方向の中央部で固定される。そのため、頭の小さい使用者が大きな帽体を被った場合でも、帽体の中央部に頭部が固定されて、装着時に常に安定した状態で帽体を頭部に装着することができる。また、不使用状態においてはゴムが緩められるので、緊張状態の継続により生ずるゴムの劣化を抑止できる。これにより、これにより、不使用状態において安定して備蓄できる状態を容易かつ確実に形成するとともに、経年劣化の少ない帽子用内装具を提供できる。
【００２０】
請求項５、請求項６に記載の発明によれば、被った使用者に良好なフィット感を与えつつ、不使用状態において、安定した状態で水平面に載置したり複数積み重ねたりすることの可能な帽子用内装具を、簡素な機構によって形成できる。
【００２１】
請求項７に記載の発明によれば、被った使用者に良好なフィット感を与えつつ、不使用状態において、安定した状態で水平面に載置したり複数積み重ねたりすることの可能な帽子を提供できる。
【図面の簡単な説明】
【００２２】
【図１】この実施の形態１のヘルメットの底面方向から見た斜視図である。
【図２】この実施の形態１の帽体、及びこの実施の形態１の帽子用内装具のハンモックの底面方向から見た斜視図である。
【図３】同上帽子用内装具のヘッドバンドを底面方向から見た斜視図である。
【図４】同上帽子用内装具のハンモックの湾曲させる前の状態の正面図である。
【図５】同上帽子用内装具のヘッドバンドの前側部材の湾曲させる前の状態の正面図である。
【図６】同上帽子用内装具のヘッドバンドの後側部材を形成する第一部材の湾曲させる前の状態の正面図である。
【図７】同上帽子用内装具のヘッドバンドの後側部材を形成する第二部材の湾曲させる前の状態の正面図である。
【図８】同上帽子用内装具のヘッドバンドの後側部材を形成する第一部材のヒンジ部の部分拡大図である。
【図９】同上帽子用内装具のヘッドバンドの後側部材とハンモックとの湾曲させる前の状態の正面図である。
【図１０】同上帽子用内装具のヘッドバンドの前側部材と後側部材とが連結部材で連結された状態の部分拡大図である。
【図１１】同上帽子用内装具の耳紐及び顎紐の正面図である。
【図１２】同上帽子用内装具の配設されたヘルメットが頭部に装着された状態を示す図である。
【図１３】同上帽子用内装具のヘッドバンドの後側部材の第二部材が頭部に装着された状態を示す図である。
【図１４】同上帽子用内装具の配設されたヘルメットが他の帽体に積み重ねられた状態を示す図である。
【図１５】この実施の形態２のヘルメット及び帽子用内装具の（ａ）使用状態を示す側面図、（ｂ）不使用状態を示す側面図である。
【図１６】この実施の形態３のヘルメット及び帽子用内装具の（ａ）使用状態を示す側面図、（ｂ）不使用状態を示す側面図である。
【図１７】従来の帽子用内装具の配設されたヘルメットが頭部に装着された状態を示す図である。
【発明を実施するための形態】
【００２３】
［発明の実施の形態１］
以下、この発明の実施の形態１について説明する。
【００２４】
図１乃至図１４は、この発明の実施の形態１を示す。
【００２５】
まず、構成を簡単に説明すると、図１に示す、この実施の形態１の「帽子」としてのヘルメット１００は、災害時用に用いられる防災用ヘルメットである。なお、この実施の形態１の「帽子」は、防災用ヘルメット以外のどのようなヘルメットであってもよく、また、ヘルメット以外のいかなる帽子であってもよい。
【００２６】
このヘルメット１００は、帽体１１０と、帽子用内装具１Ａからなる。
【００２７】
帽体１１０は、ＡＢＳ等、剛性の高い樹脂によって形成され、外部からの飛来物等による衝撃から頭部を保護する機能を奏する。帽体１１０は、複数の多角形の組み合わせによって頭部を覆う形状に形成されている。帽体１１０の前側は、前側に張り出して頭部の額部分を覆う庇部１１１が形成されている。帽体１１０の外側には、図１４に示すように、前側に一対の前側載置用突起部１１２、後側に一対の後側載置用突起部１１３が設けられている。前側載置用突起部１１２、後側載置用突起部１１３には、同一構成のヘルメット１００を積み重ねた際にヘルメット１００の一部が載置され、複数のヘルメット１００を積み重ねることができるように形成されている。
【００２８】
図１に示すように、帽子用内装具１Ａは、ハンモック１、ヘッドバンド２、耳紐３、顎紐４を備えている。帽子用内装具１Ａは、帽体１１０を頭部周辺に装着させると共に、帽体１１０に加わった衝撃を緩和させる機能を奏する。
【００２９】
ハンモック１は、柔軟性と剛性とを有し、繰り返しの使用や長期間の使用によっても伸びや剛性の低下が生じにくい合成樹脂、例えばポリエチレン、もしくはポリプロピレン等からなる。但し同様の性質を有するものであればどのような材質で形成されていてもよい。ハンモック１は、このような材質の部材を平板形状に形成したものから成る。平板形状の部材から形成することで、ハンモック１を低コストで製造できる。
【００３０】
図４に示すように、ハンモック１は、使用者の頭頂部を抑える円環状の頭頂抑え部５と、この頭頂抑え部５から複数延長された計４本の略帯状の延長片部とを有している。この延長片部のうち、一方の一対は前側延長片部６，６を形成し、他方の一対は後側延長片部７，７を形成する。これら前側延長片部６，６の先端部、及び後側延長片部７，７の先端部には、前側延長片部６，６及び後側延長片部７，７の幅方向に張り出した嵌合片部８，８，８，８が設けられている。
【００３１】
ハンモック１は、前側延長片部６，６がヘルメット１００の前側に配設され、後側延長片部７，７がヘルメット１００の後側に配設される。具体的には、図１及び図１４に示すように、前側延長片部６，６の嵌合片部８，８が帽体１１０の内部の前側の被嵌合部１１４，１１４にそれぞれ嵌合され、後側延長片部７，７の後側の嵌合片部８，８が帽体１１０の内部の後側の被嵌合部１１４，１１４にそれぞれ嵌合される。
【００３２】
これにより、図２に示すように、ハンモック１は、帽体１１０の内部に沿って湾曲させた状態で、帽体１１０の内部に配設される。即ち、図１２に示すような、使用者が頭部にヘルメット１００を被って直立した状態である使用状態（以下単に「使用状態」と称する）において、頭頂抑え部５は帽体１１０内部の中央上部に配設され、前側延長片部６，６と後側延長片部７，７は帽体１１０内部の中央部から外方の下方に向けて湾曲しながら垂下した状態で配設される。
【００３３】
図４に示すように、それぞれの前側延長片部６の略中央部には前側取付孔部９が開口形成されている。また、それぞれの後側延長片部の略中央部には、「ハンモック側取付部」としての後側取付孔部１０が開口形成されている。また、それぞれの前側延長片部６の基端部には顎紐取付孔部１１が開口形成されている。
【００３４】
図１に示すように、ハンモック１には、ヘッドバンド２が取付けられる。ヘッドバンド２は、図６に示す前側部材１２と、図７に示す、前側部材１２に接続される後側部材１３とを備えている。前側部材１２と後側部材１３とは、ハンモック１と同じ素材を、ハンモック１と同様に平板形状に形成したものから成る。平板形状の部材で形成することにより、前側部材１２と後側部材１３とを低コストで製造できる。
【００３５】
図５に示す通り、前側部材１２は、帯状の前側当接部１４が設けられている。この前側当接部１４は、使用状態において長手方向が略水平方向に沿った状態となり、頭部の額部分に当接する。前側当接部１４の両端部には、連結部材３２が挿通される挿通孔部１５が設けられている。
【００３６】
図１に示すように、前側当接部１４には、幅方向即ち使用状態における上下方向に沿って、複数の溝部１６が設けられている。この溝部１６により、図１に示すように、前側当接部１４を長手方向に沿って容易に湾曲させることができる。
【００３７】
前側部材１２の両端部近傍の一側側から略垂直方向には、一対の前頭部側接合片部１７，１７が突設されている。それぞれの前頭部側接合片部１７の先端部には、前頭部側取付孔部１８が開口形成されている。図１に示すように、前頭部側取付孔部１８は、ハンモック１の前側取付孔部９に重なった状態で、ビス１９によって取付けられる。なお、前側部材１２の使用状態における下側は、ハンモック１や帽体１１０に取付けられておらず、前後方向（即ち図１２における左右方向）や左右方向に移動可能になっている。
【００３８】
後側部材１３は、図６に示す第一部材２０と、図７に示す第二部材２１とが接続されて形成されている。第一部材２０は、図１２に示すようにヘルメット１００が使用者の頭部４００に被せられた際、頭部４００の側頭部に当接する。第二部材２１は、ヘルメット１００が頭部４００に被せられた際、頭部４００の後頭部に当接する。
【００３９】
図６に示す通り、第一部材２０は略帯状に形成されている。第一部材２０の一端側には連結部材３２が挿通される筒状の挿通筒部２２が配設され、他端側には第二部材２１と接続される接続孔部２３が開口形成されている。図１２に示すように、使用状態において、第一部材２０は長手方向が略水平方向に沿った状態となる。第一部材２０はハンモック１や帽体１１０に取付けられておらず、前後方向（即ち図１２における左右方向）や左右方向に移動可能になっている。
【００４０】
第二部材２１は、頭部の後頭部略全体を覆う形状に形成されている。具体的には、図７に示す通り、第二部材２１は略V字形状に形成されている。第二部材２１の略中央部は、突出部２１ａを形成している。この突出部２１ａは、ハンモック１が帽体１１０の内部に配設されて使用状態となったとき、帽体１１０よりも下方に突出する（図１２参照）。また、図７に示す通り、第二部材２１の両端部には、それぞれ「後側部材側取付部」としての後側部材側取付孔部２４が開口形成されている。
【００４１】
図７に示す通り、第二部材２１の後側部材側取付孔部２４よりも中央部寄りには、それぞれ、第一耳紐挿通孔部２６，第二耳紐挿通孔部２７が近接して開口形成されている。図１に示すように、第一耳紐挿通孔部２６、第二耳紐挿通孔部２７には、何れか一方に耳紐３が挿通される。また、第二部材２１の、第一耳紐挿通孔部２６，第二耳紐挿通孔部２７よりも中央部寄りには、一対の接続孔部２５，２５が開口形成されている。それぞれの接続孔部２５は、第一部材２０との接続孔部２３に重なった状態でビス２８によって接続され、これにより第一部材２０と第二部材２１とは回動自在に接続される。なお、第二部材２１には、接続孔部２５の他に第二の接続孔部（図示せず）等が設けられ、第一部材２０と第二部材２１との取付位置を調節することで、ヘッドバンド２の周囲方向の長さを調節可能に形成してもよい。
【００４２】
図８に示すように、第二部材２１の両端部側には、ハンモック１に取付けられる取付部３０が設けられる。この取付部３０の近傍には、薄肉のヒンジ部２９が設けられている。第二部材２１のヒンジ部２９よりも、使用状態において下方に延長された第二部材本体部３１は、ヒンジ部２９を介して折畳可能に形成されている。これにより、第二部材２１は、取付部３０がハンモック１に取付けられた状態で、第二部材本体部３１がヒンジ部２９を介して移動する（図８の矢印Ｂ参照）。
【００４３】
即ち、第二部材本体部３１は、使用状態における、第二部材本体部３１の長手方向が略垂直下方に延びた状態（及び図８の実線で表示した状態、及び図１２に示す状態）になる。また、使用者がヘルメット１００を装着していない、第二部材本体部３１が帽体１１０の内部に収容された状態である非使用状態（以下単に「非使用状態」と称する。）にもなる。非使用状態においては、第二部材本体部３１の長手方向が略水平方向に延びた状態（図８の点線で表示した状態、及び図１３に示す状態）となり、第二部材２１が帽体１１０よりも内側上方に位置する状態となる。
【００４４】
図１に示すように、第二部材２１とハンモック１とは、後側部材側取付孔部２４と後側取付孔部１０とが重なった状態で、ビス３１ａによって取付けられる。ここで、図９に示すように、第二部材２１が平板状態のときの後側部材側取付孔部２４，２４同士の間隔Ａ１は、ハンモック１が平板状態のときの後側取付孔部１０，１０同士の間隔Ａ２よりも広い。
【００４５】
そして、後側部材側取付孔部２４，２４をそれぞれ後側取付孔部１０，１０の位置に合わせてビス３１ａ，３１ａで取付けたとき、図１に示すように、第二部材２１は撓んだ湾曲形状となる。即ち、平板形状の部材で形成した第二部材２１を確実に湾曲形状に形成できる。
【００４６】
図１２に示すように、使用状態において、第二部材２１は前側部材１２よりも下方に張り出して、使用者の後頭部略全体を覆う形状となっている。そして、図１３に示すように、使用状態において、第二部材２１は使用者の後頭部に沿って湾曲した形状となっている。
【００４７】
なお、第二部材２１の使用状態における下側は、ハンモック１や帽体１１０に取付けられておらず、前後方向（即ち図１２における左右方向）や左右方向に移動可能になっている。
【００４８】
また、図１４に示すように、非使用状態においては、第二部材２１がヒンジ部２９で折り畳まれた結果、ヘッドバンド２の全体が帽体１１０よりも、使用状態における上方に位置することになる。
【００４９】
図５に示す前側部材１２の挿通孔部１５と、図６に示す第一部材２０の挿通筒部２２とには、連結部材３２が挿通される。図１０に示すように、連結部材３２は、前側部材１２と後側部材１３とを連結可能な弾性体、たとえばゴムひも等によって形成されている。連結部材３２の両端はストラップピン３３に挿通されており、連結部材３２の長さはストラップピン３３の取付位置によって調節可能に形成されている。
【００５０】
連結部材３２は、張力によって、ヘッドバンド２の前側部材１２と後側部材１３とを引っ張る。前側部材１２と後側部材１３とは、連結部材３２の張力が働いたとき、それぞれヘッドバンド２の縮径する方向に引っ張られることになる。
【００５１】
図４に示すハンモック１のそれぞれの前側取付孔部９，９と、図７に示す第二部材２１のそれぞれの第一耳紐挿通孔部２６又は第二耳紐挿通孔部２７とには、一対の耳紐３のそれぞれが取付けられる。
【００５２】
図１１に示すように、耳紐３の耳紐本体部３４は、ポリプロピレン等の合成繊維によって形成されている。耳紐本体部３４の一端側には二つの取付孔部（図示せず）が開口形成されている。耳紐本体部３４の一端側は、それぞれの取付孔部（図示せず）に一の取付ビス３５が挿通されて接合された状態で環状に形成されている。
【００５３】
耳紐本体部３４の他端側には、ポリプロピレン等の樹脂によって形成されたビスホルダー３６が配設されている。ビスホルダー３６には、ハンモック１の前側取付孔部９と共に接合されるビス挿通孔３７が開口形成されている。
【００５４】
一対の耳紐３，３は、顎紐４によって連結されている。図１１に示す、顎紐４の第一顎紐本体部３８、第二顎紐本体部３９、第三顎紐本体部４０は、それぞれ耳紐本体部３４と同じ材質で形成されている。第一顎紐本体部３８の一端部と第三顎紐本体部の一端部とは、それぞれ環状に形成されて端部がビス４１，４２によって固着されて、耳紐３，３の一方と他方とに連結されている。第一顎紐本体部３８の他端部と第二顎紐本体部３９の一端部とは、第二顎紐本体部３９の長さを調節するベルトアジャスタ４３によって連結され、第二顎紐本体部３９の他端部と第三顎紐本体部４０の他端部とは、係脱可能なバックル４４の雄体と雌体とにそれぞれ接続されている。
【００５５】
次に、この実施の形態１の作用について説明する。
【００５６】
まず、不使用状態のヘルメット１００を使用する使用者は、帽体１１０の内側を下方に向けた使用状態とし、帽体１１０の内部に収容されたヘッドバンド２の第二部材２１を下方に引き下ろす。これにより、第二部材２１の突出部２１ａは帽体１１０よりも下方に突出する。そして、図１２に示すように、使用者は帽体１１０の庇部１１１を前にして頭部４００にヘルメット１００を被る。ヘッドバンド２の前側部材１２と後側部材１３とは、使用状態における下側がハンモック１や帽体１１０に固定されておらず移動可能であるため、連結部材３２の張力に抗して拡径された状態で、頭部４００に装着される。この状態で、ハンモック１の頭頂抑え部５は使用者の頭頂部に当接する。また、ヘッドバンド２の前側部材１２の前頭部側接合片部１７は使用者の前頭部に、後側部材１３の第一部材２０は使用者の側頭部に、第二部材２１は使用者の後頭部にそれぞれ当接する。
【００５７】
そして、頭頂部がハンモック１の頭頂抑え部５に当接した状態で、使用者は両方の耳紐３がそれぞれ形成する略三角形の空間（図１２参照）の中に耳を挿通させ、顎紐４を顎の下方に垂らした状態とする。この状態で、使用者が顎紐４のバックル４４を顎下で係合させ、ベルトアジャスタ４３で第二顎紐本体部３９の長さを調節すると、ヘルメット１００が頭部４００に固定された状態となる。
【００５８】
この状態において、図１３に示すように、第二部材２１の突出部２１ａは、前側部材１２よりも使用状態における下方に突出して、使用者の後頭部略全体を覆う。そのため、使用者が頭部４００に帽体１１０を被った際にヘッドバンド２が後頭部側の広い面積に当接して固定され、帽体のぐらつきを抑止できる。
【００５９】
後側部材１３の後側部材側取付孔部２４，２４は、後側取付孔部１０，１０よりも外側に位置している（図９参照）。そのため、第二部材２１をハンモック１に取付ける際、後側部材側取付孔部２４，２４をそれぞれ後側取付孔部１０，１０の位置に合わせてビス３１ａ，３１ａで取付けたとき、図１に示すように、第二部材２１は撓んだ湾曲形状となる。そのため、図１３に示すように、第二部材２１は、使用状態においても、使用者の後頭部に沿って外側に湾曲した形状となる。これにより、帽子用内装具１Ａのヘッドバンド２を頭部４００に装着させた際、後頭部側にフィットした状態で装着され、帽体１１０のぐらつきをより確実に抑止できる。
【００６０】
そして、前述したように、ヘッドバンド２の前側部材１２と後側部材１３とは使用状態における下側が移動可能であり、連結部材３２の張力が働くため、使用者がヘルメット１００を被った状態で、ヘッドバンド２の前側部材１２は図３に示す矢印Ｃ方向、後側部材１３には図３に示す矢印Ｄ方向に引っ張られる。この引っ張りによって、使用者の頭部４００は帽体１１０の略中央部で固定される。即ち、図１２に示す、帽体１１０の後側と頭部４００の後側との間に形成された隙間Ｓ３と、帽体１１０の前側と頭部４００の前側との間に形成された隙間Ｓ４とはほぼ等しい大きさとなる。
【００６１】
これにより、頭の小さい使用者が大きな帽体１１０を被った場合でも、帽体１１０の中央部に頭部４００が固定されて、装着時に常に安定した状態で帽体１１０を頭部に装着することができる。
【００６２】
次に、使用後のヘルメット１００を収容する場合、使用者は、第二部材２１をヒンジ部２９で折り曲げて、第二部材２１の使用状態における下側を折り畳む。すると、第二部材２１の、突出部２１ａを含む第二部材本体部３１が折り曲げられて帽体１１０よりも使用状態における内部上方に収容され、帽子用内装具１Ａはコンパクトな形状になる。また、前述の通り、平板状態における後側部材１３の一対の後側部材側取付孔部２４，２４の間隔Ａ１は、平板状態における後側延長片部７，７の一対の後側取付孔部１０，１０の間隔Ａ２よりも広く（図９参照）、後側部材側取付孔部２４，２４をそれぞれ後側取付孔部１０，１０の位置に合わせてビス３１ａ，３１ａで取付けることで、第二部材２１は撓んだ湾曲形状となっている（図１参照）。そのため、この第二部材２１を内側に折り畳んだとき、第二部材２１は外側に撓んだ湾曲形状から、帽体１１０の内側の形状に沿って、内側に向けて撓んだ湾曲形状で形状を安定させることができる。
【００６３】
この状態において、図１４に示すように、第二部材２１の突出部２１ａは帽体１１０の内部に収容され、帽体１１０から下方に突出しなくなる。上述した通り、突出部２１ａが突出したままヘルメット１００を地面や床面に載置すると、突出部２１ａが地面や床面に当接して載置時のぐらつきが起きやすくなる。しかしこの実施の形態１のヘルメット１００は、第二部材本体部３１を折り曲げて帽体１１０の内部に収容することで、突出部２１aが地面や床面に当接せず、ぐらつきのない安定した状態で地面や床面に載置させることができる。そして、第二部材２１は、帽体１１０の内側の形状に沿って、内側に向けて撓んだ湾曲形状で形状が維持されるので、不使用状態のヘルメット１００を地面や床面に載置するに際し、突出部２１ａが地面や床面に当接せず、地面や床面への載置に支障を来たすことのない状態を維持させることができる。
【００６４】
次に、この状態で、床面等に載置した一のヘルメット１００の帽体１１０の上に、他のヘルメット１００を載置させる。その結果、一のヘルメット１００（下側のヘルメット１００）の前側載置用突起部１１２、後側載置用突起部１１３の上には、他のヘルメット１００（上側のヘルメット１００）の帽体１１０の内部の一部がそれぞれ載置される。即ち、一のヘルメット１００の帽体１１０上に、他のヘルメット１００が使用状態と同様の状態で載置される。このときも、第二部材２１の突出部２１ａは帽体１１０の内部に収容され、帽体１１０から下方に突出していないので、同一形状のヘルメット１００を積み重ねて保管し収容する際に、下方に突出した突出部２１ａが積み重ねに支障を来すことを防止できる。そして、積み重ねたヘルメット１００の上に、更に別の同一形状のヘルメット１００を積み重ねることをくり返すことで、同一形状のヘルメット１００を狭小なスペースに安定した状態で多数積み重ねて収容、保管することができる。
【００６５】
以上、この実施の形態１においては、ヘルメット１００に配設されたとき、使用状態において使用者に良好なフィット感を与えると共に、不使用状態において安定した状態で備蓄できる帽子用内装具１Ａや、かかる帽子用内装具１Ａによる効果を奏するヘルメット１００を提供できる。
【００６６】
［発明の実施の形態２］
図１５に、この発明の実施の形態２を示す。
【００６７】
図１５の（ａ）及び（ｂ）に示す、この実施の形態２のヘルメット２００には、「帽子用内装具」としての帽子用内装具１Ｂが配設されている。なお、図１５の（ａ）及び（ｂ）においては、帽子用内装具１Ｂを構成し、帽体２１０の内部に配設されているハンモック等の記載は省略してある。
【００６８】
この実施の形態２の帽子用内装具１Ｂを構成するヘッドバンド５０は、装着者の頭部（図１２、図１３参照）の前頭部に当接する前側部材５１と、前側部材５１に接続されて頭部の後頭部に当接する後側部材と５２を備えている。後側部材５２には突出部５３が設けられている。前側部材５１と後側部材５２とは、前側部材５１と後側部材５２とを回動自在に軸止する「収容機構」としての回動軸部５４によって回動自在に連結されている。
【００６９】
図１５の（ａ）に示す、この実施の形態２の帽子用内装具１Ｂの使用状態において、ハンモック（図示せず）及び前記ヘッドバンドが前記帽体に配設された状態で後側部材５２が回動軸部５４を中心に回動されたとき、図１５の（ｂ）に示す、突出部５３が帽体２１０の内部に収容された状態となって、突出部５３の全体が帽体２１０よりも使用状態における内側上方に位置するように構成されている。
【００７０】
これにより、この実施の形態２においては、ヘルメット２００に配設されたとき、使用状態において使用者に良好なフィット感を与えると共に、不使用状態において安定した状態で備蓄できる帽子用内装具１Ｂや、かかる帽子用内装具１Ｂによる効果を奏するヘルメット２００を提供できる。
【００７１】
［発明の実施の形態３］
図１６に、この発明の実施の形態３を示す。
【００７２】
図１６の（ａ）及び（ｂ）に示す、この実施の形態３のヘルメット３００は、「帽子用内装具」としての帽子用内装具１Ｃが配設されている。なお、図１６においては、帽体３１０の内部に配設されているハンモック等の構成は省略してある。
【００７３】
この実施の形態３の帽子用内装具１Ｃを構成するヘッドバンド６０は、装着者の頭部（図１２、図１３参照）の前頭部に当接する前側部材６１と、前側部材６１に接続されて頭部の後頭部に当接する後側部材と６２を備えている。後側部材６２には突出部６３が設けられている。前側部材６１と後側部材６２とは、前側部材６１と後側部材６２とを回動自在に軸止する「収容機構」としてのスライド部６４によって回動自在に連結されている。スライド部６４は、ビス６５と、後側部材６２の長手方向に沿って設けられた長孔部６６とを備えている。
【００７４】
図１６の（ａ）に示す、この実施の形態２の帽子用内装具１Ｂの使用状態において、ハンモック（図示せず）及び前記ヘッドバンドが前記帽体に配設された状態で、スライド部６４のビス６５が長孔部６６の内部をスライドしたとき、図１６の（ｂ）に示す、突出部６３が帽体３１０の内部に収容された状態となって、突出部６３の全体が帽体３１０よりも使用状態における内側上方に位置するように構成されている。
【００７５】
これにより、この実施の形態３においては、ヘルメット３００に配設されたとき、使用状態において使用者に良好なフィット感を与えると共に、不使用状態において安定した状態で備蓄できる帽子用内装具１Ｃや、かかる帽子用内装具１Ｃによる効果を奏するヘルメット３００を提供できる。
【００７６】
なお、上記各実施の形態は本発明の例示であり、本発明が上記各実施の形態のみに限定されることを意味するものではないことは、いうまでもない。
【符号の説明】
【００７７】
１Ａ，１Ｂ，１Ｃ・・・帽子用内装具
１・・・ハンモック
２・・・ヘッドバンド
１０・・・後側取付孔部（ハンモック側取付部）
１２，５１，６１・・・前側部材
１３，５２，６２・・・後側部材
２１ａ，５３，６３・・・突出部
２４・・・後側部材側取付孔部（後側部材側取付部）
２９・・・ヒンジ部（収容機構）
３０・・・取付部
３２・・・連結部材
５４・・・回動軸部（収容機構）
６４・・・スライド部（収容機構）
１００，２００，３００・・・ヘルメット（折畳み式帽子）
１１０，２１０，３１０・・・帽体
１１２・・・前側載置用突起部（載置用突起部）
１１３・・・後側載置用突起部（載置用突起部）
４００・・・頭部
【図１】
2014005558.tif 000003
【図２】
2014005558.tif 000004
【図３】
2014005558.tif 000005
【図４】
2014005558.tif 000006
【図５】
2014005558.tif 000007
【図６】
2014005558.tif 000008
【図７】
2014005558.tif 000009
【図８】
2014005558.tif 000010
【図９】
2014005558.tif 000011
【図１０】
2014005558.tif 000012
【図１１】
2014005558.tif 000013
【図１２】
2014005558.tif 000014
【図１３】
2014005558.tif 000015
【図１４】
2014005558.tif 000016
【図１５】
2014005558.tif 000017
【図１６】
2014005558.tif 000018
【図１７】
2014005558.tif 000019
【手続補正書】
【提出日】平成24年10月10日(2012.10.10)
【手続補正１】
【補正対象書類名】明細書
【補正対象項目名】００３３
【補正方法】変更
【補正の内容】
【００３３】
図４に示すように、それぞれの前側延長片部６の略中央部には耳紐取付孔部９が開口形成されている。また、それぞれの後側延長片部７の略中央部には、「ハンモック側取付部」としての後側取付孔部１０が開口形成されている。また、それぞれの前側延長片部６の基端部には前側取付孔部１１が開口形成されている。
【手続補正２】
【補正対象書類名】明細書
【補正対象項目名】００３４
【補正方法】変更
【補正の内容】
【００３４】
図１に示すように、ハンモック１には、ヘッドバンド２が取付けられる。ヘッドバンド２は、図３に示す、前側部材１２と、前側部材１２に接続される後側部材１３とを備えている。前側部材１２と後側部材１３とは、ハンモック１と同じ素材を、ハンモック１と同様に平板形状に形成したものから成る。平板形状の部材で形成することにより、前側部材１２と後側部材１３とを低コストで製造できる。
【手続補正３】
【補正対象書類名】明細書
【補正対象項目名】００３７
【補正方法】変更
【補正の内容】
【００３７】
前側部材１２の両端部近傍の一側側から略垂直方向には、一対の前頭部側接合片部１７，１７が突設されている。それぞれの前頭部側接合片部１７の先端部には、前頭部側取付孔部１８が開口形成されている。図１に示すように、前頭部側取付孔部１８は、ハンモック１の前側取付孔部１１に重なった状態で、ビス１９によって取付けられる。なお、前側部材１２の使用状態における下側は、ハンモック１や帽体１１０に取付けられておらず、前後方向（即ち図１２における左右方向）や左右方向に移動可能になっている。
【手続補正４】
【補正対象書類名】明細書
【補正対象項目名】００４８
【補正方法】変更
【補正の内容】
【００４８】
また、図１４に示すように、非使用状態においては、第二部材２１がヒンジ部２９で折り畳まれた結果、ヘッドバンド２の全体が帽体１１０よりも、使用状態における内部上方に位置することになる。
【手続補正５】
【補正対象書類名】明細書
【補正対象項目名】００５１
【補正方法】変更
【補正の内容】
【００５１】
図４に示すハンモック１のそれぞれの耳紐取付孔部９，９と、図７に示す第二部材２１のそれぞれの第一耳紐挿通孔部２６又は第二耳紐挿通孔部２７とには、一対の耳紐３のそれぞれが取付けられる。
【手続補正６】
【補正対象書類名】明細書
【補正対象項目名】００５３
【補正方法】変更
【補正の内容】
【００５３】
耳紐本体部３４の他端側には、ポリプロピレン等の樹脂によって形成されたビスホルダー３６が配設されている。ビスホルダー３６には、ハンモック１の耳紐取付孔部９と共に接合されるビス挿通孔３７が開口形成されている。
【手続補正７】
【補正対象書類名】明細書
【補正対象項目名】００６２
【補正方法】変更
【補正の内容】
【００６２】
次に、使用後のヘルメット１００を収容する場合、使用者は、図１３に示す、第二部材２１をヒンジ部２９で折り曲げて、第二部材２１の使用状態における下側を折り畳む。すると、図１４に示すように、第二部材２１の、突出部２１ａを含む第二部材本体部３１が折り曲げられて帽体１１０よりも使用状態における内部上方に収容され、帽子用内装具１Ａはコンパクトな形状になる。また、前述の通り、平板状態における後側部材１３の一対の後側部材側取付孔部２４，２４の間隔Ａ１は、平板状態における後側延長片部７，７の一対の後側取付孔部１０，１０の間隔Ａ２よりも広く（図９参照）、後側部材側取付孔部２４，２４をそれぞれ後側取付孔部１０，１０の位置に合わせてビス３１ａ，３１ａで取付けることで、第二部材２１は撓んだ湾曲形状となっている（図１参照）。そのため、この第二部材２１を内側に折り畳んだとき、第二部材２１は外側に撓んだ湾曲形状から、帽体１１０の内側の形状に沿って、内側に向けて撓んだ湾曲形状で形状を安定させることができる。
【手続補正８】
【補正対象書類名】明細書
【補正対象項目名】００６４
【補正方法】変更
【補正の内容】
【００６４】
次に、この状態で、床面等に載置した一のヘルメット１００の帽体１１０の上に、他のヘルメット１００を載置させる。その結果、一のヘルメット１００（下側のヘルメット１００）の前側載置用突起部１１２、後側載置用突起部１１３の上には、他のヘルメット１００（上側のヘルメット１００）の帽体１１０の内部の一部がそれぞれ載置される。即ち、一のヘルメット１００の帽体１１０上に、他のヘルメット１００が使用状態と同様の状態で載置される。このときも、図１４に示すように、第二部材２１の突出部２１ａは帽体１１０の内部に収容され、帽体１１０から下方に突出していないので、同一形状のヘルメット１００を積み重ねて保管し収容する際に、下方に突出した突出部２１ａが積み重ねに支障を来すことを防止できる。そして、積み重ねたヘルメット１００の上に、更に別の同一形状のヘルメット１００を積み重ねることをくり返すことで、同一形状のヘルメット１００を狭小なスペースに安定した状態で多数積み重ねて収容、保管することができる。
【手続補正９】
【補正対象書類名】図面
【補正対象項目名】図７
【補正方法】変更
【補正の内容】
【図７】
2014005558.tif 000020
【手続補正１０】
【補正対象書類名】図面
【補正対象項目名】図９
【補正方法】変更
【補正の内容】
【図９】
2014005558.tif 000021
【手続補正１１】
【補正対象書類名】図面
【補正対象項目名】図１４
【補正方法】変更
【補正の内容】
【図１４】
2014005558.tif 000022